(57)【要約】  包装された感湿製品、及び感湿製品を包装するための方法に関する。包装体は、１次包装体と、少なくとも１つの熱可塑性の層及び少なくとも１つの金属層を含む複合積層体を含む２次包装体とを備える。
2020501997.tif 000002
【特許請求の範囲】
【請求項１】
包装された感湿製品であって、
（ａ）少なくとも１つの感湿製品と、
（ｂ）前記感湿製品を収容する、少なくとも１つの１次包装体と、
（ｃ）前記１次包装体を保持することができ、複数の層を有する複合積層体から作製される、少なくとも１つの２次包装体と
を含む、包装された感湿製品であって、
前記１次包装体が、ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体からなる群より選択される水溶性ポリマーから作製される水溶性パウチであり、
前記２次包装体の前記複数の層が、下記層：
熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、
前記熱可塑性ポリマーの層の間に配置されるか、又は前記熱可塑性ポリマーの層の少なくとも１つの上に堆積される、少なくとも１つの金属層、および
熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、包装された製品。
【請求項２】
前記１次包装体が、ポリビニルアルコール製の水溶性パウチであり、
前記２次包装体が、複数の層を有する複合積層体であって、前記複数の層が、
少なくとも１つの、ポリエチレンテレフタレートの第１の層と、
前記ポリエチレンテレフタレートの層の間に配置される、又は前記ポリエチレンテレフタレートの層の少なくとも１つの上に堆積される、少なくとも１つのアルミニウム層と、
少なくとも１つの、ポリエチレンテレフタレートの第２の層と
を含む、請求項１に記載の包装された製品。
【請求項３】
前記１次包装体が、ポリビニルアルコール製の水溶性パウチであり、
前記２次包装体が、複数の層を有する複合積層体であって、前記複数の層が、
少なくとも１つの、ポリエチレンテレフタレートの第１の層と、
少なくとも別の、ポリエチレンテレフタラートの第２の層と、
前記ポリエチレンテレフタラートの層の間に配置される、又は前記ポリエチレンテレフタラートの層のうちの少なくとも１つの上に堆積される、少なくとも１つのアルミニウム層と、
少なくとも１つの低密度ポリエチレンの層
を含む、請求項１に記載の包装された製品。
【請求項４】
前記感湿農薬製品が、アセフェート、クロラミンリン、イソカルボホス、イソフェンホス、イソフェンホス−メチル、メタミドホス、ホスグリシン、プロペタンホス、およびそれらの製剤からなる群から選択される、ホスホルアミドチオ酸殺虫剤である、請求項３に記載の包装された製品。
【請求項５】
前記感湿農薬製品が、アセフェート又はアセフェート製剤である、請求項４に記載の包装された製品。
【請求項６】
前記感湿農薬製品が、アセフェート９７％のドライフロアブル剤又はアセフェート５０％＋イミダクロプリド１．８％のＳＰ製剤である、請求項５に記載の包装された製品。
【請求項７】
感湿製品を包装する方法であって、
ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体から選択される水溶性ポリマーから作製される水溶性パウチである、第１の１次包装体の中に前記感湿製品を配置することと、
前記１次包装体内に収容された前記感湿製品を保持することができる２次包装体の中に、前記１次包装体を配置することであって、前記２次包装体が複数の層を有する複合積層体から作製され、前記２次包装体の前記複数の層が、下記層：
熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、および
前記熱可塑性ポリマーの層の間に配置されるか、又は前記熱可塑性ポリマーの層の少なくとも１つの上に堆積される、少なくとも１つの金属層、および
熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、方法。
【発明の詳細な説明】
【技術分野】
【０００１】
本発明は、水分バリア包装体に関する。より具体的には、本発明は、感湿農薬の水分バリア包装体に関する。
【背景技術】
【０００２】
感湿農薬用の包装体を選択するための必須前提条件は、製品の貯蔵寿命にわたって、包装材料と包装された材料との間に相互作用が生じないことを確実にすることである。農薬の従来の製剤タイプは、水和剤、水和性顆粒剤、粉剤、及び粒剤である。
【０００３】
ポリエチレンは、その水分バリア特性のために農薬用の包装に使用される。しかしながら、ポリエチレン単独では、その機械的強度が不十分であるため十分な農薬用包装体を形成しない。
【０００４】
二軸配向ポリエステル（ＰＥＴ）は、水性製品の包装に広く使用されてきた。しかしながら、水蒸気透過度は、ポリエチレンの水蒸気透過度よりも高く、感湿化合物を包装するのに適していない。
【０００５】
２０１５年１０月１日に公開された米国特許第２０１５／０２７４４０８号は、農薬の有効成分（アセフェート）を含む多量の材料、並びに包装体中心、内側領域、及び包装体中心から最も遠く位置付けられた遠位部分を有する包装体を含む、農薬として有効な製品について開示している。内部領域は、内側領域の中心を有し、多量の材料を収容し、内側領域の中心は、包装体の中心からオフセット距離だけ離れて配置される。遠位部分は、包装体の中心から最も離れて配置され、最も離れた距離に対するオフセット距離の比率は、０．１０よりも大きい。
【０００６】
１９９２年１０月１５日に公開された国際公開第ＷＯ１９９２／０１７３８２号は、農薬を収容する包装体であって、包装体が、非平面状の水溶性又は水分散性材料の第１のシートと、第１のシート上に重ねて置かれ、重ねられたシートの連続領域に沿って、連続的に閉じた水溶性又は水分散性シールによって第１シートに密封された水溶性又は水分散性材料の第２のシートと、とを含む、包装体を開示している。しかしながら、この包装体は、機械的強度が不十分であり、落下試験に不合格になることが多い。
【０００７】
１９９３年７月６日に公開された米国特許第５，２２４，６０１号は、殺虫性組成物を収容する包装システムを開示している。包装システムは、殺虫性組成物を封入する凹部を画定する非平面状の水溶性又は水分散性材料の第１のシートと、連続的に閉じた水溶性又は水分散性ヒートシールによって第１シートに密封された水溶性又は水分散性材料の第２のシートと、第１のシートと第２のシートとの間にあり、水溶性又は水分散性シールによって密封され、包装体を２つの区分に分割する第３のシートと、を含む。
【０００８】
１９９９年９月２日に公開されたカナダ特許第２２８５２０２号は、殺虫剤又は他の種類の農業用化学物質などの有効成分を、水溶性包装体に貯蔵するシステム及び方法を開示している。有効成分は、有効成分を溶解することはできるが水溶性包装体は溶解しない、親水性で非水性の溶媒を含む、貯蔵用製剤に組み込まれる。
【０００９】
アセフェート、Ｏ，Ｓ−ジメチルアセチルホスホラミドチオエートは、環境中の水分又は包装材料由来の水分に脆弱な殺虫剤である。したがって、アセフェート又はアセフェート含有製剤の耐湿性包装は、当該技術分野において長年必要とされてきた。アセフェートを包装するためのＦＡＯ仕様は、アセフェートが、ＭＴ．３０，ＣＩＰＡＣ  Ｆ，ｐ．９１で測定したときに、２ｇ／ｋｇを超える水を含有してはならないと規定している。この仕様はさらに、典型的には、含水量は約１．５ｇ／ｋｇであるべきであると規定している。仕様はさらに、アセフェートは技術上、吸湿性であるため、防湿容器内に収容し、乾燥した場所に保管するなど注意を払わなければならないと示している。
【００１０】
本発明は、アセフェート用、及びアセフェート含有農薬製品用の、有効な水分バリア包装システムを提供する。
【発明の概要】
【発明が解決しようとする課題】
【００１１】
したがって、本発明の目的は、感湿農薬用の水分バリア包装システムを提供することである。
【００１２】
本発明の別の目的は、製品の貯蔵寿命にわたって、包装材料と包装された材料との間に相互作用が生じないことを確実にする、感湿農薬用の包装体を提供することである。
【００１３】
本発明の別の目的は、アセフェートの又はアセフェート含有農薬製品の水分バリア包装体を提供することである。
【課題を解決するための手段】
【００１４】
以下に記載される本発明は、上記本発明の目的のうちの少なくとも１つ、好ましくは２つ以上を満たす。
【００１５】
包装された感湿製品であって、
（ａ）少なくとも１つの感湿製品と、
（ｂ）上記感湿製品を収容する、少なくとも１つの１次包装体と、
（ｃ）上記１次包装体を保持することができ、複数の層を有する複合積層体から作製される、少なくとも１つの２次包装体と
を含む、包装された感湿製品であって、
上記１次包装体が、ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体からなる群より選択される水溶性ポリマーから作製される水溶性パウチであり、
上記２次包装体の上記層が：
（ｉ）熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、
（ｉｉ）上記熱可塑性ポリマーの層の間に配置されるか、又は上記熱可塑性ポリマーの層の少なくとも１つの上に堆積される、少なくとも１つの金属層、および
（ｉｉｉ）熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、包装された製品である。
【００１６】
以下の工程を含む、感湿製品を包装する方法である。
（ａ）ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体から選択される水溶性ポリマーから作製される水溶性パウチである、第１の１次包装体の中に上記感湿製品を配置する工程と、
（ｂ）上記１次包装体内に収容された上記感湿製品を保持できる２次包装体の中に、上記１次包装体を配置する工程であって、上記２次包装体が複数の層を有する複合積層体から作製され、上記２次包装体の上記層が：
（ｉ）熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、
（ｉｉ）上記熱可塑性ポリマーの層の間に配置されるか、又は上記熱可塑性ポリマーの層の少なくとも１つの上に堆積された、少なくとも１つの金属層、および
（ｉｉｉ）熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する、方法。
【発明を実施するための形態】
【００１７】
驚くべきことに、本発明者らは、少なくとも１つの水溶性ポリマー層、少なくとも１つの第１の熱可塑性層、少なくとも１つの金属層及び少なくとも１つの第２の熱可塑性層の組み合わせは、感湿農薬製品用の包装体に、包装された農薬製品に必要な耐湿性を提供すると共に、驚くべき機械的強度を提供することを見出した。さらに驚くべきことに、水溶性ポリマー層のいずれか、又は熱可塑性層若しくは金属層のいずれかが包装材料から欠けている場合には、増大した機械的強度及び耐湿性が損なわれることが見出された。包装されなければ環境中の水分への曝露に非常に敏感であった、ここで包装される農薬製品に対して、記載された層が組み合わされたときに驚くべき利益を提供したことは予想外であった。
【００１８】
したがって、一態様では、本発明は、包装された感湿製品を提供する。上記包装された製品は、以下を含むものである。
（ａ）少なくとも１つの感湿製品と、
（ｂ）上記感湿製品を収容する、少なくとも１つの１次包装体と、
（ｃ）上記１次包装体を保持することができ、複数の層を有する複合積層体から作製される、少なくとも１つの２次包装体と
を含む、包装された感湿製品であって、
上記１次包装体が、ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体からなる群より選択される水溶性ポリマーから作製される水溶性パウチであり、
上記２次包装体が：
（Ｉ）熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される、熱可塑性ポリマーの第１の層、
（ＩＩ）前記熱可塑性ポリマーの層の間に配置されるか、又は前記熱可塑性ポリマーの層の少なくとも１つの上に堆積される、少なくとも１つの金属層、および
（ＩＩＩ）熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される、熱可塑性ポリマーの第２の層
から選ばれる複数の層を有する、包装された製品。
【００１９】
別の態様では、本発明はまた、感湿製品を包装する方法を提供する。当該方法は次の工程を含む：
（ａ）ポリエチレングリコール、又はポリエチレングリコールとポリプロピレンオキシドとのコポリマー、ポリエチレングリコールとポリエチレンブチレンとのコポリマー、およびポリエチレングリコールとポリカプロラクトンとのコポリマーから選ばれるポリエチレングリコールコポリマーを含むブロックコポリマー；ポリビニルピロリドン；ポリビニルアルコール；ポリアクリル酸；ポリアクリルアミド；Ｎ−（２−ヒドロキシプロピル）メタクリルアミド；ジビニルエーテル−無水マレイン酸；ポリオキサゾリン；ポリホスフェート；ポリホスファゼン；キサンタンガム；ペクチン；キトサン誘導体；デキストラン；カラギーナン；グアーガム；ヒドロキシプロピルメチルセルロース、ヒドロキシプロピルセルロース、ヒドロキシエチルセルロース、及びカルボキシメチルセルロースナトリウムから選択されるセルロースエーテル；並びにデンプンまたはデンプン誘導体から選択される水溶性ポリマーから作製される水溶性パウチである、第１の１次包装体の中に前記感湿製品を配置する工程と、
（ｂ）上記１次包装体内に収容された上記感湿製品を保持することができる２次包装体の中に、前記１次包装体を配置する工程であって、前記２次包装体が複数の層を有する複合積層体から作製され、前記２次包装体の前記層が：
（Ｉ）熱可塑性ポリマーからなる少なくとも１つの第１の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第１の層、
（ＩＩ）前記熱可塑性ポリマーの層の間に配置されるか、又は前記熱可塑性ポリマーの層の少なくとも１つの上に堆積される、少なくとも１つの金属層、および
（ＩＩＩ）熱可塑性ポリマーからなる少なくとも１つの第２の層であって、ポリアミドイミド、ポリエーテルスルホン、ポリエーテルイミド、ポリアリレート、ポリスルホン、ポリアリレート、ポリスルホン、ポリアミド、ポリメチルメタクリレート、ポリ塩化ビニル、アクリロニトリルブタジエンスチレン、ポリスチレン、ポリエーテルエーテルケトン、ポリテトラフルオロエチレン、ポリアミド６−６、ポリアミド１１、ポリフェニレンスルフィド、ポリエチレンテレフタラート、ポリオキシメチレン、ポリプロピレン、高密度ポリエチレン、低密度ポリエチレン、ポリプロピレン、ポリスチレン、ポリメチルメタクリレート、ポリ塩化ビニル、天然ゴム、ポリジメチルシロキサン、ポリオキシメチレン、ポリカーボネート、ポリエーテルエーテルケトン、ナイロン６、ポリフェニレンスルフィド、ポリエーテルスルホン、ポリエーテルイミド、及び液晶ポリマーから選択される熱可塑性ポリマーの第２の層
から選ばれる複数の層を有する。
【００２０】
これらの態様の両方が、水溶性ポリマー又は熱可塑性層若しくは金属層のいずれかの選択に応じて、いくつかの実施形態を有し得る。以下に記載されるこれらの実施形態は非限定的であり、本発明の例示的な実施形態であることを意図するものである。
【００２１】
したがって一実施形態では、本発明は、包装された感湿製品を提供し、上記包装された製品は、以下を含む：
（ａ）少なくとも１つの感湿製品と、
（ｂ）感湿製品を収容する、少なくとも１つの１次包装体であって、ポリビニルアルコールから作製された水溶性パウチである、上記１次包装体と、
（ｃ）上記１次包装体を保持することができ、複数の層を有する複合積層体から作製される、少なくとも１つの２次包装体であって、上記複数の層は、
（ｉ）少なくとも１つの、第１のポリエチレンテレフタラート層と、
（ｉｉ）ポリエチレンテレフタラート層の間に配置される又はポリエチレンテレフタラート層のうちの少なくとも１つの上に堆積される少なくとも１つのアルミニウム層と、
（ｉｉｉ）少なくとも１つの、第２のポリエチレンテレフタラート層と、
を含む。
【００２２】
別の実施形態では、本発明はまた、感湿製品を包装する方法を提供し、上記方法は、以下の工程を含む：
（ａ）上記感湿製品を第１の１次包装体の中に配置する工程であって、上記１次包装体は、ポリビニルアルコールから作製される水溶性パウチであり、
（ｂ）上記１次包装体を、上記１次包装体内に収容された上記感湿製品を保持できる２次包装体の中に配置する工程であって、上記２次包装体は複数の層を有する複合積層体から作製され、上記複数の層は、
（ｉ）少なくとも１つの、第１のポリエチレンテレフタラート層と、
（ｉｉ）ポリエチレンテレフタラート層の間に配置される又はポリエチレンテレフタラート層のうちの少なくとも１つの上に堆積される少なくとも１つのアルミニウム層と、
（ｉｉｉ）少なくとも１つの、第２のポリエチレンテレフタラート層と
を含む。
【００２３】
別の実施形態では、本発明は、包装された感湿製品を提供し、上記包装された製品は、以下を含む：
（ａ）少なくとも１つの感湿製品と、
（ｂ）感湿製品を収容する、少なくとも１つの１次包装体であって、ポリビニルアルコールから作製された水溶性パウチである、上記１次包装体と、
（ｃ）上記１次包装体を保持することができ、複数の層を有する複合積層体から作製される、少なくとも１つの２次包装体であって、上記複数の層は、
（ｉ）少なくとも１つの、第１のポリエチレンテレフタラート層と、
（ｉｉ）少なくとも別の、第２のポリエチレンテレフタラート層と、
（ｉｉｉ）ポリエチレンテレフタラート層の間に配置される又はポリエチレンテレフタラート層のうちの少なくとも１つの上に堆積される、少なくとも１つのアルミニウム層と、
（ｉｖ）少なくとも１つの低密度ポリエチレン層と、を含む。
【００２４】
好ましい実施形態では、２次包装体は、１２マイクロメートルのポリエチレンテレフタラート、続いて１２マイクロメートルの別のポリエチレンテレフタラート層、８マイクロメートルのアルミニウム箔／層、続いて１００マイクロメートルの低密度ポリエチレン層を含む三層が積層された積層体である。
【００２５】
別の実施形態では、本発明はまた、感湿製品を包装する方法を提供し、上記方法は、以下の工程を含む。
（ａ）上記感湿製品を第１の１次包装体の中に配置する工程であって、上記１次包装体は、ポリビニルアルコールから作製される水溶性パウチである、配置する工程と、
（ｂ）上記１次包装体を、上記１次包装体内に収容された上記感湿製品を保持できる２次包装体の中に配置する工程であって、上記２次包装体は、複数の層を有する複合積層体から作製され、上記複数の層は、
（ｉ）少なくとも１つの、第１のポリエチレンテレフタラート層と、
（ｉｉ）少なくとも別の、第２のポリエチレンテレフタラート層と、
（ｉｉｉ）ポリエチレンテレフタラート層の間に配置される又はポリエチレンテレフタラート層のうちの少なくとも１つの上に堆積される、少なくとも１つのアルミニウム層と、
（ｉｖ）少なくとも１つの低密度ポリエチレン層とを含む。
【００２６】
好ましい実施形態では、２次包装体は、１２マイクロメートルのポリエチレンテレフタラート、続いて１２マイクロメートルの別のポリエチレンテレフタラート層、８マイクロメートルのアルミニウム箔／層、続いて１００マイクロメートルの低密度ポリエチレン層を含む三層が積層された積層体である。
【００２７】
別の実施形態では、２次包装体は、１２マイクロメートルのポリエチレンテレフタラート、２０マイクロメートルのアルミニウム箔／層、続いて８５マイクロメートルの低密度ポリエチレン層を含む三層が積層された積層体である。
【００２８】
したがって、別の実施形態では、本発明は、包装された感湿製品を提供し、上記包装された製品は、以下を含む：
（ａ）少なくとも１つの感湿製品と、
（ｂ）感湿製品を収容する、少なくとも１つの１次包装体であって、ポリビニルアルコールから作製された水溶性パウチである上記１次包装体と、
（ｃ）上記１次包装体を保持することができ、複数の層を有する複合積層体から作製される、少なくとも１つの２次包装体であって、上記複数の層は、
（ｉ）少なくとも１つの、ポリエチレンテレフタラート層と、
（ｉｉ）ポリエチレンテレフタラート層の間に配置される又はポリエチレンテレフタラート層のうちの少なくとも１つの上に堆積される少なくとも１つのアルミニウム層と、
（ｉｉｉ）少なくとも１つの低密度ポリエチレン層と、を含む。
【００２９】
別の実施形態では、本発明はまた、感湿製品を包装する方法を提供し、上記方法は、以下の工程を含む：
（ａ）上記感湿製品を第１の１次包装体の中に配置する工程であって、上記１次包装体は、ポリビニルアルコールから作製される水溶性パウチである、配置する工程と、
（ｂ）上記１次包装体を、上記１次包装体内に収容された上記感湿製品を保持できる２次包装体の中に配置する工程であって、上記２次包装体は、複数の層を有する複合積層体から作製され、上記複数の層は、
（ｉ）少なくとも１つの、ポリエチレンテレフタラート層と、
（ｉｉ）ポリエチレンテレフタラート層の間に配置される又はポリエチレンテレフタラート層のうちの少なくとも１つの上に堆積される少なくとも１つのアルミニウム層と、
（ｉｉｉ）少なくとも１つの低密度ポリエチレン層と、を含む。
【００３０】
一実施形態では、感湿農薬製品は、アセフェート、クロラミンリン、イソカルボホス、イソフェンホス、イソフェンホス−メチル、メタミドホス、ホスグリシン、及びプロペタンホスからなる群から選択される、ホスホルアミドチオ酸殺虫剤である。
【００３１】
別の実施形態では、感湿農薬製品は、アセフェート又はアセフェートを含む製剤である。
【００３２】
一実施形態では、感湿農薬製品は、アセフェート９７％のドライフロアブル剤である。
【００３３】
アセフェート９７％のドライフロアブル剤１０ｋｇの耐湿性包装体を調製した。以下の好ましい実施形態の説明は、限定的であると見なされるべきではない。
【００３４】
一実施形態では、水溶性ポリマー層は、ポリビニルアルコールから構成される水溶性パウチである。
【００３５】
一実施形態では、水溶性パウチは、複数の側面上を密封され、好ましくは２つ又は３つの側面上を密封される。
【００３６】
例示的な実施形態では、水溶性層を、アセフェート９７％のＤＦ製剤試料１０ｋｇを包装するために、以下の仕様で選択する。これらの仕様は、例示的なものであり、本発明を限定するものとして解釈されるべきではない。
【００３７】
【表１】
2020501997.tif 000003
【００３８】
一実施形態において、２次包装体層は、以下の層を含む４層の複合積層体である：
印刷用ＰＥＴ（１２μ）／／ＰＥＴ（１２μ）／／Ａｌ箔（９μ）／／ＬＤＰＥ（１００μ）
【００３９】
例示的な実施形態では、２次包装体を、アセフェート９７％のＤＦ製剤試料１０ｋｇを包装するための、以下の仕様で選択する。これらの仕様は、例示的なものであり、いかようにも本発明の範囲を限定するものとして解釈されるべきではない。
【００４０】
【表２】
2020501997.tif 000004
【００４１】
このような複合積層体を調製するためのプロセスは、特に限定されず、これらの積層体は、当該技術分野において既知の従来のプロセスに従って調製され得る。例えば、このような積層体は、圧縮成形、押出被覆、押出ラミネート、タンデム押出ラミネート、化学蒸着などによって調製され得る。このようなプロセスは、当該技術分野において既知であり、本発明の多層積層体を調製するために使用される。
【００４２】
一実施形態では、このような２次包装体が複数あり、２次包装体のそれぞれが、１次包装体の内側に配置されたアセフェート９７％のＤＦを含み、印刷カートンを含む３次包装体の内側に、複数の２次包装体を配置した。
【００４３】
一実施形態では、印刷カートンには、さらなる耐湿性のためにＢＯＰＰフィルムを積層させた。
【００４４】
好ましい実施形態では、印刷カートンは、１０μのＢＯＰＰフィルムを積層させた。
【００４５】
一実施形態では、印刷カートンは、取り扱いを容易にするために提供される少なくとも１つの持ち手部分の切り抜きを備える。
【００４６】
一実施形態では、複数のこのような印刷カートンが、輸送包装体内に配置される。
【００４７】
一実施形態では、本発明の包装方法において包装することができる感湿材料としては、アセフェート、アセフェートとブプロフェジンとの組み合わせ、及びアセフェートとイミドクロプリドとの組み合わせ、並びにそれを含む組成物が挙げられるが、これらに限定されない。
【図面の簡単な説明】
【００４８】
【図１】ポリビニルアルコールから構成される水溶性パウチ（１）を示す。水溶性パウチ（１）は、アセフェート９７％ＤＦ製剤の試料（２）１０ｋｇを包装するために使用されている。
【図２】本発明の例示的な実施形態による２次包装体層（３）を示す。２次包装体層（３）は、ＰＥＴ（４）、Ａｌ箔（５）、及びＬＤＰＥ（６）を含む、三層複合体層を含む。
【実施例】
【００４９】
実施例１
アセフェート９７％のＤＦ製剤を充填するために、ＰＶＡの１次包装体層と共に、ＰＥＴ（２４μ）／／Ａｌ箔（９μ）／／ＬＤＰＥ（１００μ）の三層積層パウチを使用した。次いで、アセフェート９７％ＤＦ製剤を収容する包装体について、５４℃でＡＨＳ試験を実施した。
【００５０】
【表３】
2020501997.tif 000005
【００５１】
包装された試料は、ＡＨＳ試験において最大２８日間の仕様に準拠していることが見出された。ＡＨＳ試験は、標準ガイドラインに従って、通常５４℃の高温で１４日間実施される。この試験は、規制当局が製品の安定性及び製品包装への製剤の影響に関する規制的な発見を行うことを可能にするための、一定状況において適切なデータを提供する。
【００５２】
比較例２
ＵＰＬ  Ｌｔｄから入手可能なアセフェート９７％のＤＦ製剤を充填するために、ＰＶＡの１次包装体層と共に、ＰＥＴ（２４μ）／／Ａｌ箔（９μ）／／ＬＤＰＥ（１００μ）の三層積層パウチを使用した。比較試料では、三層積層パウチを、金属層を有しないポリエチレン／ＥＶＯＨ層を含む積層体と置き換えた。
【００５３】
【表４】
2020501997.tif 000006
【００５４】
ＰＥ／ＥｖＯＨ（エチレンビニルアルコール）パウチ中のアセフェート有効成分の割合が０．８４％低減したことに対して、本発明の三層積層パウチ内のアセフェート含有量の低減は約０．４３％のみであることが見出された。金属層を有しないＰＥ／ＥｖＯＨパウチはまた、パウチ内に強い腐食性の匂いが発生していた。
【００５５】
比較例３
ＵＰＬ  Ｌｔｄから入手可能なアセフェート＋イミダクロプリド製剤であるＬａｎｃｅｒ  Ｇｏｌｄ（登録商標）の貯蔵安定性の試験を、低密度ポリエチレン（１００マイクロメートル）で作製された高バリアフィルムパウチと比較するために行った。したがって、試験用包装体には、水溶性ポリマーパウチ、熱可塑性層及び金属化層が存在しなかった。製剤の貯蔵安定性を、ＡＨＳ保管後、すなわち、５４℃で２８日後に試験した。
【００５６】
【表５】
2020501997.tif 000007
【００５７】
１００マイクロメートルのＬＤＰＥの高バリアフィルムパウチに充填されたとき、即ち、本発明に係る２次包装体及び水溶性ポリマーの非存在下では、２８日後に、Ｌａｎｃｅｒ  Ｇｏｌｄ（登録商標）のアセフェート含有量は、２．９０％低減し、イミデクロプリド含有量は、３３．５％低減することが見出された。非常に腐食性の強い匂いもまた、パウチ内に発生した。本発明による包装方法及び包装された製品は、アセフェート又はアセフェート含有製剤を包装するために必要であった。
【００５８】
本発明の前述の記載は、当業者が、本明細書で最良の形態であると考えられるものを製造及び使用することを可能にするが、当業者であれば、本明細書の具体的な実施形態、方法、及び実施例の変型、組み合わせ、及び等価物の存在を理解し、評価するであろう。したがって、本発明は、前述の実施形態、方法、及び実施例によって限定されるべきではなく、本発明の趣旨及び範囲内の全ての実施形態及び方法によって限定されるべきである。
【図１】
2020501997.tif 000008
【図２】
2020501997.tif 000009
【国際調査報告】
2020501997.tif 000010
2020501997.tif 000011
2020501997.tif 000012
2020501997.tif 000013
2020501997.tif 000014